(57)【要約】【課題】必要な強度を確保することができながらも、蓋体を容器本体から容易に取り外すことができる容器を提供する。【解決手段】容器本体２と蓋体３とを備え、容器本体２の内側周縁部に嵌合凹部又は嵌合凸部が形成され、蓋体３に容器本体の嵌合凹部又は嵌合凸部が嵌合する嵌合凸部又は嵌合凹部が形成され、容器本体２の角部上端に、嵌合状態の蓋体３の下面３Ｕとの間に指入れ用凹部を形成すべく外側ほど下方となる傾斜面２６Ａを形成し、傾斜面２６Ａのうちの少なくとも下側部分２６ａを除いた部分に、傾斜面２６Ａから上方に突出する突出部２６Ｃを備えている。【選択図】図７
0003193346.tif 000002
【実用新案登録請求の範囲】
【請求項１】
発泡性合成樹脂からなり、略多角形状の容器本体と該容器本体の開口部に着脱自在に構成された蓋体とを備え、前記容器本体は、底壁と該底壁の外周縁から上方に立ち上げられた側壁とを備え、前記側壁の上端部には、嵌合凹部又は嵌合凸部が形成され、前記蓋体には、前記容器本体の嵌合凹部又は嵌合凸部が嵌合する嵌合凸部又は嵌合凹部が形成され、
前記側壁の角部上端には、前記嵌合状態の蓋体の下面との間に指入れ用凹部を形成すべく外側ほど下方となる傾斜面が形成され、
前記傾斜面のうちの少なくとも下側部分を除いた部分には、傾斜面から上方に突出する突出部が形成されていることを特徴とする容器。
【請求項２】
前記側壁の角部上端には、前記傾斜面よりも内側に水平面が形成されており、前記突出部は、前記水平面から外側に向けて延出して前記蓋体の下面を受け止める受止部を備えていることを特徴とする請求項１に記載の容器。
【考案の詳細な説明】
【技術分野】
【０００１】
本考案は、発泡性合成樹脂からなり、容器本体と容器本体の開口部に着脱自在に構成された蓋体とを備え、前記容器本体の側壁の上端部に嵌合凹部又は嵌合凸部が形成され、前記蓋体に前記容器本体の嵌合凹部又は嵌合凸部が嵌合する嵌合凸部又は嵌合凹部が形成された容器に関する。
【背景技術】
【０００２】
かかる容器においては、容器本体の側壁の上端部に形成された嵌合凹部に、蓋体の嵌合凸部を嵌合させることによって、蓋体が容器本体から容易に外れることがないように両者を固定することができる。前記固定状態から蓋体を容器本体から取り外す際には、容器本体の側壁の角部上端を斜め外向きにカットして形成された傾斜面（外側ほど下方となる傾斜面）と嵌合状態の蓋体の下面との間に形成された指入れ用凹部に指を差し込んで蓋体を持ち上げることによって、蓋体を容器本体から容易に取り外すことができる（例えば特許文献１参照）。
【先行技術文献】
【特許文献】
【０００３】
【特許文献１】実開平２−７３１２７号公報（図３参照）
【考案の概要】
【考案が解決しようとする課題】
【０００４】
上記特許文献１では、容器本体の角部上端を斜め外向きにカットすることによって、蓋体を容器本体から容易に取り外すことができるものの、指を容易に入れることができるようにするためには、蓋体の下面との間に形成される指入れ用凹部の入り口をある程度大きく形成するよう、斜めにカットする部分を大きく取らなければならず、容器本体の強度低下を招いてしまう。そのため、指入れ用凹部の入り口をあまり大きくすることができず、指を入れ難いという不都合があった。特に、重量のあるアサリ等の貝類を海水とともに収納する容器においては、必要な強度を持たせなければならないため、カットする部分を大きく取ることができない。
【０００５】
本考案が前述の状況に鑑み、解決しようとするところは、必要な強度を確保することができながらも、蓋体を容器本体から容易に取り外すことができる容器を提供することを課題とする。
【課題を解決するための手段】
【０００６】
本考案の容器は、前述の課題解決のために、発泡性合成樹脂からなり、略多角形状の容器本体と該容器本体の開口部に着脱自在に構成された蓋体とを備え、前記容器本体は、底壁と該底壁の外周縁から上方に立ち上げられた側壁とを備え、前記側壁の上端部には、嵌合凹部又は嵌合凸部が形成され、前記蓋体には、前記容器本体の嵌合凹部又は嵌合凸部が嵌合する嵌合凸部又は嵌合凹部が形成され、前記側壁の角部上端には、前記嵌合状態の蓋体の下面との間に指入れ用凹部を形成すべく外側ほど下方となる傾斜面が形成され、前記傾斜面のうちの少なくとも下側部分を除いた部分には、傾斜面から上方に突出する突出部が形成されていることを特徴としている。
【０００７】
かかる構成によれば、傾斜面の下側部分と嵌合状態の蓋体の下面との間の指入れ用凹部の入り口を大きく取ったとしても、傾斜面のうちの少なくとも下側部分を除いた部分に、傾斜面から上方に突出する突出部を備えているので、容器本体の角部での強度低下を抑制することができる。そして、前記のように大きく取った指入れ用凹部の入り口から指を容易に入れることができ、蓋体を迅速に開けることができる。
【０００８】
また、本考案の容器は、前記側壁の角部上端には、前記傾斜面よりも内側に水平面が形成されており、前記突出部は、前記水平面から外側に向けて延出して前記蓋体の下面を受け止める受止部を備えていてもよい。
【０００９】
上記構成によれば、突出部が蓋体の下面を受け止める受止部を備えることによって、容器本体の角部における蓋体との密閉度が低下することを抑制することができる。
【考案の効果】
【００１０】
本考案によれば、角部に形成される傾斜面のうちの少なくとも下側部分を除いた部分に、傾斜面から上方に突出する突出部を備えることによって、必要な強度を確保することができながらも、蓋体を容器本体から容易に取り外すことができる容器を提供することができる。
【図面の簡単な説明】
【００１１】
【図１】本考案に係る容器の正面図である。
【図２】同容器を示す側面図である。
【図３】容器本体の要部の斜視図である。
【図４】容器本体の底面図である。
【図５】蓋体の平面図である。
【図６】蓋体の底面図である。
【図７】（ａ）は容器本体の指入れ用凹部の斜視図、（ｂ）は容器本体に蓋体を装着した容器の角部における要部の縦断面図である。
【図８】容器本体の指入れ用凹部の別の実施形態を示す斜視図である。
【考案を実施するための形態】
【００１２】
以下、本考案に係る容器の一実施形態を、図面に基づいて説明する。
【００１３】
図１及び図２は、あさり（魚でもよい）等の貝類を海水とともに収納することができる箱型状の容器１を示している。この容器１は、上端に開口部２Ａ（図３参照）を有する発泡性合成樹脂でなる容器本体２と、この容器本体２の上端開口部２Ａを閉じて密閉状態にするための発泡性合成樹脂でなる蓋体３とから構成されている。尚、発泡性合成樹脂としては、特に限定されないが、例えば発泡ポリスチレン、発泡ポリエチレン、発泡ポリプロピレン等の各種発泡性合成樹脂が利用できる。尚、容器１の短辺方向を左右方向とし、容器１の長辺方向を前後方向とする。わかり易くするために図面にも前後左右の文字を入れている。
【００１４】
容器本体２は、図３及び図４に示すように、平面視略長方形状に形成された板状の底壁２１と、底壁２１の外周縁から上方に立ち上げられた本体用側壁２７とを備えている。
【００１５】
底壁２１は、外側に位置するフラット面を有する外周縁２１ａと、外周縁２１ａを除いた内側部分であって下方に突出した突出部２１Ｔとを備え、この突出部２１Ｔのフラットな下面２１ｔが、床面等に接する。
【００１６】
本体用側壁２７は、底壁２１の全周に亘る矩形枠状に形成され、上端部がこれよりも下側部分の肉厚よりも厚くなるよう外側に膨出した肉厚補強部２Ｂを構成してなり、該肉厚補強部２Ｂの下方に一対の指掛け用凹部２４，２４を備えるとともに該肉厚補強部２Ｂと同一厚みとなるよう外側に膨出した補助用肉厚補強部２Ｃを延設している。
【００１７】
本体用側壁２７は、具体的には、底壁２１の一対の長辺である左右の縁部に上方に立ち上げられた左右側壁２２，２２と、底壁２１の一対の短辺である前後の縁部から上方に立ち上げられた前後側壁２３，２３とを備え、これら４つの側壁２２，２３の上部に貝類や海水を出し入れするための前記上端開口部２Ａが形成されて構成されている。
【００１８】
左右側壁２２，２２は、上端部が他の部分（上端部より下側部分）の肉厚よりも厚くなる肉厚補強部２Ｂを備え、肉厚補強部２Ｂの外面２ｂは、容器本体２の下面（水平面）２１ｔに対して垂直となる垂直面に構成されている。また、肉厚補強部２Ｂの下側部分の外面２２ｃは、下方側ほど内側となる傾斜面に形成されている。前記のように肉厚補強部２Ｂの下側部分の外面２２ｃを、肉厚補強部２Ｂの下端２Ｕから下方側ほど内側となる傾斜面に形成されている。このような傾斜面は、金型の抜きテーパに対応して得られ、該傾斜面によって、金型との離型性を良好にすることができる。尚、前記傾斜面の傾斜角度を１°に設定しているため、図面上では把握でき難い状態になっている。
【００１９】
前後側壁２３，２３は、上端部が他の部分（上端部より下側部分）の肉厚よりも厚くなる肉厚補強部２Ｂとなり、肉厚補強部２Ｂの左右方向中央部の下方に肉厚補強部２Ｂと同一厚みとなる補助用肉厚補強部２Ｃが延出されており、これら前後の補助用肉厚補強部２Ｃ，２Ｃの下端から底壁２１の外周縁２１ａにかけて前後一対の指掛け用凹部２４，２４が形成されている。肉厚補強部２Ｂの外面２ｂは、容器本体２の下面（水平面）２１ｔに対して垂直となる垂直面に構成されている。また、肉厚補強部２Ｂの下側部分の外面２３ｃは、下方側ほど内側となる傾斜面に形成されている。前記のように肉厚補強部２Ｂの下側部分の外面２３ｃを、肉厚補強部２Ｂの下端２Ｕから下方側ほど内側に位置する傾斜面に形成されている。このような傾斜面は、金型の抜きテーパに対応して得られ、該傾斜面によって、金型との離型性を良好にすることができる。尚、前記傾斜面の傾斜角度を１°に設定しているため、図面上では把握でき難い状態になっている。
【００２０】
指掛け用凹部２４は、容器１の肉厚補強部２Ｂの下側部分の外面２３ｃよりも内側に離間したフラット面２４Ａと、フラット面２４Ａの左右端から容器１の肉厚補強部２Ｂの下側部分の外面２３ｃまでを繋ぐフラットな左右の横側面２４Ｂ，２４Ｂと、補助用肉厚補強部２Ｃの下端面２４Ｃの４つの面から構成され、補助用肉厚補強部２Ｃの下端面２４Ｃに指（例えば、人差し指、中指、薬指、小指の４本）を掛けて容器１を持ち上げることになる。
【００２１】
指掛け用凹部２４の左右幅は、補助用肉厚補強部２Ｃの左右幅よりも狭く設定され、下方に向かうほど幅広にすることで材料を削減することができる。補助用肉厚補強部２Ｃの下端面２４Ｃにおける指掛け用凹部２４の左右幅は、具体的には、４本の指（ほとんどの指）を掛けることができるように略７ｃｍの大きさの幅に設定しているが、４ｃｍ〜１０ｃｍの間の大きさの幅に設定してもよい。また、指掛け用凹部２４の内側への深さは、略１ｃｍに設定しているが、０．５ｃｍ〜３ｃｍの間の任意の値に設定してもよい。
【００２２】
図１〜図３、図７（ａ），（ｂ）に示すように、容器本体２の対角線上に位置する２つの角部（具体的には、本体用側壁２７の矩形枠状の角部）に、指を入れて蓋体３を開放するための蓋体開放用の指入れ用凹部２６が形成されている。
【００２３】
指入れ用凹部２６は、容器本体２の角部上端に水平面を有する外側部分２Ｈに形成されている。外側部分２Ｈとは、容器本体２の本体用側壁２７の上端に上方に突出するように、本体用側壁２７の厚み方向内側部分に形成された後述の嵌合用凸条２５を除いた部分の水平面の部分を言う。その外側部分２Ｈに、嵌合状態の蓋体３の下面との間に指入れ用凹部２６を形成すべく外側ほど下方となる傾斜面２６Ａが形成されている。その傾斜面２６Ａは、平坦面で外形が平面視において円弧形状をなしている。尚、傾斜面２６Ａは、水平面に対して略４５度の角度で傾斜しているが、３０度〜６０度の範囲の任意の角度に設定してもよい（適当に角度を設定していますので、確認ください）。また、傾斜面２６Ａのうちの下側部分２６ａ及び下側部分２６ａの両横側に位置する両側部分２６ｂ，２６ｂを除いた部分に、傾斜面２６Ａから上方（具体的には、傾斜面２６Ａの法線方向）に距離Ｈだけ突出する突出部２６Ｂを備えている。
【００２４】
突出部２６Ｂは、上端側ほど細くなるテーパ状に形成され、上端面２６Ｃが平坦面に形成されている。また、突出部２６Ｂは、前記外側部分２Ｈの水平面から水平方向外側に向けて距離Ｎだけ延出して蓋体３の下面３Ｕを受け止める平坦面からなる受止部２６Ｓを備えている。
【００２５】
受止部２６Ｓは、外側（先端側）ほど幅狭となる台形状に構成され、指入れ用凹部２６の水平幅の寸法Ｗ１よりも狭い水平幅Ｗ２に形成されている。尚、指入れ用凹部２６は、水平幅の寸法Ｗ１を有し、蓋体３の下面と傾斜面２６Ａの下端（先端）との上下寸法Ｓを有するように構成されている。尚、上下寸法Ｓは、指の先端が入り込むことができる大きさに設定されることが好ましく、０．８ｍｍ以上に設定することが好ましい。
【００２６】
突出部２６Ｂについて詳述すれば、突出部２６Ｂの上端から下端までの寸法Ｖ２は、傾斜面２６Ａの上端から下端までの寸法Ｖ１よりも小さく設定される。具体的には、Ｖ２（１．５ｃｍ）：Ｖ１（１．２ｃｍ）＝１：０．８になっているが、Ｖ２：Ｖ１は、１：０．６〜０．９の範囲の数値に設定されることが好ましい。また、上下寸法（蓋体３の下面から傾斜面２６Ａの下端までの寸法、１ｃｍ）Ｓと距離（傾斜面２６Ａから突出した突出長さ、２ｍｍ）Ｈとの比率であるＳ：Ｈ＝１：０．２になっているが、Ｓ：Ｈは、１：０．１〜０．４の範囲の数値に設定されることが好ましい。
【００２７】
また、左右側壁２２，２２及び前後側壁２３，２３の上端面、即ち、容器本体２の上端面には、図３に示すように、内縁の全周に亘って上向きに突出する嵌合用凸条２５が設けられている。
【００２８】
一方、蓋体３は、図５及び図６に示すように、平面視略長方形状で板状の蓋体本体である天壁３Ａと、天壁３Ａの外周縁から下方に延びる蓋体用側壁３Ｂとを備えている。
【００２９】
天壁３Ａの底面のうちの前記蓋体用側壁３Ｂから所定距離内側に位置する部位に、全周に亘って下向きに突出する枠状（具体的には、矩形枠状）の凸条３２が形成されている。該凸条３２は、前後に対向する前後壁３２Ａ，３２Ａと、左右で対向する左右壁３２Ｂ，３２Ｂとを備える。そして、該凸条３２の前後壁３２Ａ，３２Ａの左右中央部同士及び左右壁３２Ｂ，３２Ｂの前後中央部同士を連結する略十字形状の補強用凸条３４が形成されている。この補強用凸条３４は、前記凸条３２よりも下向きの突出量が小さく（少なく）なっている。
【００３０】
蓋体用側壁３Ｂは、具体的には、天壁３Ａの一対の長辺である左右の縁部に下方に延びる左右側壁３６，３６と、天壁３Ａの一対の短辺である前後の縁部から下方に延びる前後側壁３７，３７とを備えている。
【００３１】
前記蓋体用側壁３Ｂと前記凸条３２との間に、前記嵌合用凸条２５が嵌合する嵌合用凹部である嵌合用凹溝３３が形成されている。この嵌合用凹溝３３を容器本体２の嵌合用凸条２５に嵌合させることによって、蓋体３と容器本体２とが密閉状態で固定される。
【００３２】
左右側壁３６，３６の外面３ｂは、容器本体２の底壁２１の下面（水平面）２１ｔに対して垂直となる垂直面に形成されるとともに、容器本体２の肉厚補強部２Ｂの外面２ｂと面一となるように形成されている。
【００３３】
前後側壁３７，３７の外面３ｂは、容器本体２の底壁２１の下面（水平面）２１ｔに対して垂直となる垂直面に形成されるとともに、容器本体２の肉厚補強部２Ｂの外面２ｂと面一となるように形成されている。
【００３４】
前記のように左右側壁３６，３６の外面３ｂ及び前後側壁３７，３７の外面３ｂ、即ち蓋体用側壁３Ｂの外面３ｂと容器本体２の肉厚補強部２Ｂの外面２ｂとから、テープ貼り付け面を構成している。そして、蓋体用側壁３Ｂの外面３ｂと容器本体２の肉厚補強部２Ｂの外面２ｂとが垂直面に形成されることによって、それら垂直面に粘着テープＮを貼り易くテープの貼り付け作業を迅速に行うことができる。尚、肉厚補強部２Ｂの上下の幅は、周方向において略同一の大きさに構成され、肉厚補強部２Ｂの厚みも、周方向において略同一の厚みに構成されている。また、蓋体３の外面（垂直面）３ｂの上下の幅は、周方向において略同一の大きさに構成され、肉厚補強部２Ｂの上下の幅と略同一の寸法になっている。
【００３５】
また、前記のように粘着テープＮが貼り付けられて密閉状態になった容器１の前後側壁２３，２３に形成された指掛け用凹部２４，２４に指（例えば、人差し指、中指、薬指、小指の４本）を掛けて容器１を持ち上げて運搬することができる。このとき、補強された容器本体２の上端部の肉厚補強部２Ｂ及び補助用肉厚補強部２Ｃにて容器１の重量を良好に支持することができる。
【００３６】
また、蓋体３の上面の外縁全周には、図５に示すように、所定間隔を置いて複数（図５では全部で８個）の蓋体補強用の凸条３５Ａ，３５Ｂ，３５Ｃが形成されている。
【００３７】
蓋体補強用の凸条３５Ａ，３５Ｂ，３５Ｃのうちの蓋体３の前後端の上面に形成されている左右一対の第１凸条３５Ａ，３５Ｂは、蓋体３の左右中央部に容器本体２の長手方向にバンドを掛けるための切欠き部Ｓ１が形成されるように配置されている。また、残りの４個の第２凸条３５Ｃは、蓋体３の長手方向に所定間隔を空けて２個ずつ左右端に振り分けて配置され、前後に位置する第２凸条３５Ｃ，３５Ｃ間に切欠き部Ｓ２が形成されている。また、第１凸条３５Ａ，３５Ｂの第２凸条側端とこれに対向する第２凸条３５Ｃ，３５Ｃの端との間に、バンドを掛けるための切欠き部Ｓ３が形成されている。
【００３８】
従って、上記のように構成された容器本体２に、例えばアサリ等の貝類（魚等でもよい）を海水とともに収納し、容器本体２の開口部２Ａを蓋体３にて閉じる。そして、凸条Ｔの対向する二辺それぞれの第１切欠き部Ｓ１，Ｓ１を介して容器本体２と蓋体本体３０とにバンドＢを掛け回して両者を固定する。図示していないが、バンドＢには締付け具が備えており、締付け具の締付けによって、バンドＢが容器本体２と蓋体本体３０とに押し付けられて固定される。また。バンドＢが掛け回される凸条Ｔの対向する二辺それぞれの辺方向両端部は、バンドＢが掛け回される関係上、蓋体３の強度が必要となる。そのため、第１切欠き部Ｓ１，Ｓ１をバンドＢの幅と略等しい長さ（寸法）に構成することによって、強度が低下することを抑制することができる。これに対して、凸条Ｔの対向する二辺それぞれの辺方向中央部は、辺方向両端部に比べて強度を必要としないため、そこに形成する第２切欠き部Ｓ２，Ｓ２を第１切欠き部Ｓ１の所定長さよりも長い所定長さを有する構成とすることによって、必要な強度を確保することができながらも、材料を削減することができる。しかも、凸条Ｔの対向する二辺それぞれの第３切欠き部Ｓ３，Ｓ３も、第２切欠き部Ｓ２，Ｓ２と同様に、第１切欠き部Ｓ１の所定長さよりも長くすることによって、必要な強度を確保することができながらも、更に材料を削減することができる。
【００３９】
そして、前記容器１を所定場所まで運搬した後、バンドＢ及び粘着テープＮを取り外し、容器本体２に嵌合した蓋体３を取り外す場合には、指入れ用凹部２６，２６の一方又は両方に指（例えば人差し指）を入れてから容器本体２に対して蓋体３を持ち上げることによって、蓋体３を容易に取り外すことができる。そして、傾斜面２６Ａの下側部分２６ａと嵌合状態の蓋体３の下面３Ｕとの間の指入れ用凹部２６の入り口の上下の寸法Ｓ及び左右幅の寸法Ｗ１を十分な大きさに取ったとしても、傾斜面２６Ａの下側部分２６ａ及び下側部分２６ａの両横側に位置する両側部分２６ｂ，２６ｂを除いた部分に、傾斜面２６Ａから上方に突出する突出部２６Ｂを備えているので、容器本体２の角部における強度低下を抑制することができる。このように上下左右の寸法を大きく取った指入れ用凹部２６から指を容易に入れることができ、蓋体３を迅速に開けることができる。
【００４０】
尚、本考案に係る容器は、前記実施形態に限定されるものではなく、本考案の要旨を逸脱しない範囲で種々の変更が可能である。
【００４１】
前記実施形態では、傾斜面２６Ａから上方に突出する突出部２６Ｂを、傾斜面２６Ａの下側部分２６ａ及び下側部分２６ａの両横側に位置する両側部分２６ｂ，２６ｂを除いた部分に形成したが、図８に示すように、傾斜面２６Ａを下側部分２６ａのみから構成し、その下側部分２６ａを除いたすべての部分に突出部２６Ｂを形成してもよい。尚、図８の突出部２６Ｂの上端面２６Ｃは、フラットな平坦面に形成しているが、上方に凸となる湾曲面にしてもよい。また、突出部２６Ｂの下端面（先端面）２６Ｄ及び両横側面２６Ｅ，２６Ｅを、フラットな平坦面に形成しているが、湾曲面に形成してもよい。
【００４２】
また、前記実施形態では、突出部２６Ｂが、蓋体３の下面を受け止める受止部２６Ｓを備えているが、受止部２６Ｓの無い（蓋体３の下面を受け止めない）突出部２６Ｂであってもよい。
【００４３】
また、前記実施形態では、容器本体２を平面視略長方形状に構成したが、平面視略正方形状に構成してもよいし、三角形や五角形等の多角形であってもよい。
【符号の説明】
【００４４】
１…容器、２…容器本体、２Ａ…開口部、２Ｂ…肉厚補強部、２Ｃ…補助用肉厚補強部、２Ｈ…外側部分、２Ｕ…下端、２ｂ…外面、３…蓋体、３Ａ…天壁、３Ｂ…蓋体用側壁、３Ｕ…下面、３ｂ…外面、２１…底壁、２１…底部、
２１   底壁、２１Ｔ…突出部、２１ａ…外周縁、２１ｔ…下面、２２…左右側壁、２２ｃ…外面、２３…前後側壁、２３ｃ…外面、２４…指掛け用凹部、２４Ａ…フラット面、２４Ｂ…横側面、２４Ｃ…下端面、２５…嵌合用凸条、２６…指掛け用凹部、２６Ａ…傾斜面、２６Ｂ…突出部、２６Ｃ…上端面、２６Ｓ…受止部、２６ａ…下側部分、２６ｂ…両側部分、２７…本体用側壁、３０…蓋体本体、３２…凸条、３２Ａ…前後壁、３２Ｂ…左右壁、３３…嵌合用凹溝、３４…補強用凸条、３５Ａ，３５Ｂ，３５Ｃ…凸条、３６…左右側壁、３７…前後側壁、Ｂ…バンド、Ｎ…粘着テープ、Ｓ１〜Ｓ３…切欠き部、Ｔ…凸条
【図１】
0003193346.tif 000003
【図２】
0003193346.tif 000004
【図３】
0003193346.tif 000005
【図４】
0003193346.tif 000006
【図５】
0003193346.tif 000007
【図６】
0003193346.tif 000008
【図７】
0003193346.tif 000009
【図８】
0003193346.tif 000010